(57)【要約】【課題】一般的に移動体放送では、伝送路の状態が常に変動し、符号化データの伝送誤りが頻発する。チャンネル拡大符号化信号に伝送誤りが発生した区間とそうでない区間とで再生されるチャンネル数の変動が発生し、急激な音場の変化が起こり、ユーザーが多大な違和感を感じるという問題が生じる。【解決手段】上記の課題を解決するため、本願の請求項１記載の発明は、マルチチャンネル信号をダウンミックスした第一の符号化信号と、前記第一の符号化信号をマルチチャンネルに拡張する第二の符号化信号を復号化するオーディオ復号化装置において、前記第一の符号化信号と前記第二の符号化信号を分離する手段と、前記第一の符号化信号に含まれる符号化時間長を検出する検出手段とを備えることを特徴とするものである。【選択図】図２
2008286904.tif 000002
【特許請求の範囲】
【請求項１】
マルチチャンネル信号をダウンミックスした第一の符号化信号と、前記第一の符号化信号をマルチチャンネルに拡張する第二の符号化信号とを含む符号化信号を復号化するオーディオ復号化装置であって、
前記符号化信号から前記第一の符号化信号と前記第二の符号化信号とを分離する分離手段と、
前記第二の符号化信号が正常に復号できるか否かを判定する判定手段と、
前記第一の符号化信号と前記第二の符号化信号とからマルチチャンネル信号を生成するための通常モードで復号を行なう復号手段とを備え、
前記判定手段により、第二の符号化信号を正常に復号できないと判定された場合、前記復号手段は、第一の符号化信号のみからマルチチャンネル信号を生成するためのＭａｔｒｉｘモードで復号を行うことを特徴とするオーディオ復号化装置。
【請求項２】
前記符号化信号からフレーム長を検出し、前記フレーム長が最大長のフレーム長であるか否かを判定するフレーム長判定手段をさらに有し、
前記復号手段がＭａｔｒｉｘモードで復号中に、前記判定手段により第二の符号化信号が正常に復号できると判定され、かつ、前記フレーム長判定手段により最大長のフレーム長であると判定されたときに、通常モードに切り替えて復号することを特徴とする請求項１記載のオーディオ復号装置。
【請求項３】
前記第二の符号化信号が連続して正常に復号できない回数をカウントするカウンターをさらに有し、
前記復号手段がＭａｔｒｉｘモードで復号中に、前記判定手段により前記第二の符号化信号が正常に復号できると判定され、かつ、前記カウンターの値が閾値を越えたときに、通常モードに切り替えて復号することを特徴とする請求項１記載のオーディオ復号装置。
【請求項４】
マルチチャンネル信号をダウンミックスした第一の符号化信号と、前記第一の符号化信号をマルチチャンネルに拡張する第二の符号化信号とを含む符号化信号を復号化するオーディオ復号化方法であって、
前記符号化信号から前記第一の符号化信号と前記第二の符号化信号とを分離する分離ステップと、
前記第二の符号化信号が正常に復号できるか否かを判定する判定ステップと、
前記第一の符号化信号と前記第二の符号化信号とからマルチチャンネル信号を生成するための通常モードで復号を行なう復号ステップとを含み、
前記判定ステップにより、第二の符号化信号を正常に復号できないと判定された場合、前記復号ステップは、第一の符号化信号のみからマルチチャンネル信号を生成するためのＭａｔｒｉｘモードで復号を行うことを特徴とするオーディオ復号化方法。
【発明の詳細な説明】
【技術分野】
【０００１】
本発明は、マルチチャンネル信号を復号化するオーディオデコーダに関し、より具体的には、マルチチャンネル信号をステレオ信号やモノラル信号にダウンミックスした信号を符号化したダウンミックス符号化信号と、それをもとのマルチチャンネル信号に戻すための信号を符号化したチャンネル拡大部符号化信号とを分離してビットストリームに格納し、しかも、そのダウンミックス符号化信号が、ＭＰＥＧ規格ＡＡＣ方式のステレオまたはモノラル符号化信号方式のステレオあるいはモノラルと互換性を持つようなオーディオデコーダに関するものである。
【背景技術】
【０００２】
マルチチャンネルの音響信号を符号化する方式には、大きく分けて二つの方式がある。一つは、ドルビープロロジックに代表されるＭａｔｒｉｘ方式と呼ばれるものであり、もう一つは、ドルビーディジタル（ＡＣ３）やＭＰＥＧ−ＡＡＣに代表される離散チャンネル符号化方式である。
【０００３】
前者は、マルチチャンネル信号を２ｃｈステレオにダウンミックスする際に、チャンネル毎の分離情報を、ダウンミックス信号の位相成分として加算して伝送する方式である。この方式の欠点は、２ｃｈステレオ信号中に分離情報が重畳されているために、再生機器でのマルチチャンネル信号のチャンネルセパレーションが良くない点である。
【０００４】
一方の、離散チャンネル符号化方式では、基本的に各チャンネルを別々に符号化して伝送するため、マルチチャンネルのチャンネルセパレーションは向上する。ただし、チャンネルセパレーションの向上と引き換えに伝送情報量が増加し、伝送路の改修が必要になるという欠点がある。
【０００５】
上記二つの符号化方式の欠点を克服するために、ＭＰＥＧサラウンドという符号化方式がある。この方式は、マルチチャンネル信号を１または２ｃｈの信号にダウンミックスして、そのダウンミックス信号をＡＡＣ方式やＡＡＣ＋ＳＢＲ方式などの既存の符号化方式で符号化する。同時に、復号化器にてダウンミックス信号をマルチチャンネル信号へと分離するための分離情報を生成し前記ダウンミックス符号化データに付加して伝送する。前記分離情報は非常に小さなものであり、伝送情報量の増加は微々たるものであるため、情報量は１または２チャンネルの符号化情報を伝送する場合とほとんど変わらない。更に分離情報を利用することにより、Ｍａｔｒｉｘ方式よりもチャンネルセパレーションを劇的に向上させることができる。
【０００６】
しかも、ダウンミックス信号は従来と互換性のある符号化で符号化されているために、従来のＡＡＣ復号化に対応した機器でも再生が可能である点も、既存のマルチチャンネル符号化技術と大きく異なる利点である。
【０００７】
このように、ＭＰＥＧサラウンド方式では、従来のマルチチャンネル符号化方式の欠点を解決しつつ互換性も確保することで、ユーザーに臨場感のある再生を提供することができる。
【非特許文献１】ドルビーデジタル：ｈｔｔｐ：／／ｗｗｗ．ｄｏｌｂｙ．ｃｏ．ｊｐ／ｉｍａｇｅｓ／ｃｏｎｓｕｍｅｒ／ａｕｔｏ／ｄｄ＿ｆａｑ．ｐｄｆ
【非特許文献２】ＭＰＥＧサラウンド規格書：ＩＳＯ／ＩＥＣ２３００３−１
【発明の開示】
【発明が解決しようとする課題】
【０００８】
しかし、従来の欠点を解決するＭＰＥＧサラウンド方式であるが、この方式をワンセグ放送やディジタルラジオ放送などの、低ビットレートの移動体放送に適用する際に次のような課題が発生する。一般的に移動体放送では、伝送路の状態が常に変動し、符号化データの伝送誤りが頻発する。図１は移動体放送の概略図であるが、特にチャンネル拡大符号化信号に伝送誤りが発生した場合には、チャンネル拡大処理が正常に行われず、ダウンミックス符号化信号のみが復号化される。その結果、チャンネル拡大符号化信号に伝送誤りが発生した区間とそうでない区間とで再生されるチャンネル数の変動が発生し、急激な音場の変化が起こり、ユーザーが多大な違和感を感じるという問題が生じる。
【課題を解決するための手段】
【０００９】
上記の課題を解決するため、本願の請求項１記載の発明は、マルチチャンネル信号をダウンミックスした第一の符号化信号と、前記第一の符号化信号をマルチチャンネルに拡張する第二の符号化信号とを含む符号化信号を復号化するオーディオ復号化装置であって、前記符号化信号から前記第一の符号化信号と前記第二の符号化信号とを分離する分離手段と、前記第二の符号化信号が正常に復号できるか否かを判定する判定手段と、前記第一の符号化信号と前記第二の符号化信号とからマルチチャンネル信号を生成するための通常モードで復号を行なう復号手段とを備え、前記判定手段により、第二の符号化信号を正常に復号できないと判定された場合、前記復号手段は、第一の符号化信号のみからマルチチャンネル信号を生成するためのＭａｔｒｉｘモードで復号を行うことを特徴とするとするものである。
【発明の効果】
【００１０】
本発明のオーディオ復号化装置によれば、拡張情報が正常なデータであるか否かを判断することで、拡張情報が正常である場合の復号化と拡張情報が正常でない場合の復号化とを適応的に切り替えることができ、ユーザーに違和感を与えることなくマルチチャンネル信号を再生することができる。
【発明を実施するための最良の形態】
【００１１】
以下、本発明の実施の形態を、図面を参照しながら説明する。
【００１２】
（実施の形態１）
図２は本実施の形態１におけるマルチチャンネル復号装置を示した構成図である。本実施の形態１におけるマルチチャンネル復号装置は、分離部２０１、拡張情報判定部２０２、切替部２０３、復号部２０４を備え、非特許文献ＩＳＯ／ＩＥＣ２３００３−１記載のＭＰＥＧサラウンド方式で符号化された符号化データを入力として、マルチチャンネル信号２０５を出力するものである。
【００１３】
分離部２０１は、符号化データを入力し、ダウンミックス信号を符号化したダウンミックス符号化信号とダウンミックス信号をマルチチャンネル信号に戻すための拡張情報符号化信号とに分離する。また、分離部２０１は、分離したダウンミックス符号化信号を切替部２０３に出力し、拡張情報符号化信号を拡張情報判定部２０２に出力する。
【００１４】
拡張情報判定部２０２は、入力された拡張情報符号化信号が正常であるか否かを判定する。拡張情報符号化信号が正常であると判定された場合には、拡張情報符号化信号を通常モード復号部２０５に出力する。また、拡張情報符号化信号が正常でないと判断された場合にはその旨を切替部２０３に通知する。ここで、正常でない拡張情報符号化信号とは、受信不良によりデータが欠落するなどして拡張情報を正しく復号できないような信号である。
【００１５】
切替部２０３は、入力されたダウンミックス符号化信号を基本的には通常モード復号部２０５に出力する。また、切替部２０３は、拡張情報判定部２０２から拡張情報符号化信号が正常でないことを通知されると、入力されたダウンミックス符号化信号をマトリックスモード符号化部２０６に出力するよう出力先を切り替える。
【００１６】
通常モード復号部２０５は、入力されたダウンミックス符号化信号と拡張情報符号化信号とからマルチチャンネル信号に復号する。復号化については図３を用いて詳細に説明する。
【００１７】
図３に記載の復号化装置は、ＭＰＥＧサラウンド方式の通常モード復号化の過程を図示している。ＭＰＥＧサラウンド符号化データから分離されたダウンミックス符号化信号は、ダウンミックス信号復号化部３００によってダウンミックスされたステレオあるいはモノラルの信号に復号化される。ダウンミックス復号化部としては、たとえばＭＰＥＧ−ＡＡＣ（非特許文献ＩＳＯ／ＩＥＣ−１３８１８−３）やＡＡＣ＋ＳＢＲ（非特許文献ＩＳＯ／ＩＥＣ−１４４９６−３）に記載の方式である。前記復号化されたダウンミックス復号化信号は、分析フィルタバンク３０１に入力される。分析フィルタバンク３０１では、時間軸の信号を周波数軸の信号へと変換される。分析フィルタバンクの一例は、非特許文献ＩＳＯ／ＩＥＣ−２３００３−３中の６．３．２に記載されている。
【００１８】
一方、プレマトリックス処理部３０２は、拡張情報符号を入力として、プレマトリックス処理された信号Ｒ１を出力する。プレマトリックス処理部３０２の一例は、非特許文献ＩＳＯ／ＩＥＣ−２３００３−３の６．５に記載されている。信号Ｒ１は周波数軸上の信号で、前記分析フィルタバンクの出力結果と乗算され、無相関処理部３０３へと入力される。無相関処理部３０３では、入力された信号の位相を制御して、無相関化する処理である。その一例は、非特許文献ＩＳＯ／ＩＥＣ−２３００３−３の６．６項に記載されている。
【００１９】
更に、ポストマトリックス処理部３０４は、拡張情報符号を入力として、ポストマトリックス処理された信号Ｒ２を出力する。ポストマトリックス処理の一例は、非特許文献ＩＳＯ／ＩＥＣ−２３００３−３の６．５に記載されている。
【００２０】
前記無相関処理された信号と、前記ポストマトリックス処理された信号とを乗算し、時間的処理部３０５に入力され、マルチチャンネルの復号化信号を出力する物である。時間的処理部３０５の一例は、ＩＳＯ／ＩＥＣ−２３００３−３の６．８に記載されている。
【００２１】
マトリックスモード復号部２０６は、入力されたダウンミックス信号をＥｎｈａｎｃｅｄ  Ｍａｔｒｉｘ  Ｍｏｄｅ（ＩＳＯ／ＩＥＣ２３００３−１）で復号化する。Ｅｎｈａｎｃｅｄ  Ｍａｔｒｉｘ  Ｍｏｄｅの詳細は前記文献に記載されているが、ＭＰＥＧサラウンド方式で規定されている各チャンネルのチャンネル間レベル差ＣＬＤおよびチャンネル間位相差ＩＣＣのパラメータを固定値として計算し、前記マルチチャンネル復号化装置を動作させるものである。
【００２２】
復号部２０４は、通常モード復号部やマトリックスモード復号部により復号されたマルチチャンネル信号を出力する。
【００２３】
図４はＭＰＥＧサラウンド方式で符号化された符号化データの詳細である。符号化データは、ダウンミックス信号を符号化したダウンミックス符号化信号４０１と、ダウンミックス符号化信号をマルチチャンネル信号へと復号化するために用いる拡張情報符号化信号４０２とから構成される。ダウンミックス符号化信号の先頭付近には、ダウンミックス信号を符号化する際に符号化装置にて決定されたフレーム長４０３が格納されている。フレーム長４０３はビット列の形で格納され、たとえば、１０２４サンプルか２５６サンプルかを区別するフラグである。
【００２４】
次に図５を用いてマルチチャンネル復号装置の処理について説明する。
【００２５】
分離部２０１は、ＭＰＥＧサラウンド方式で符号化された符号化データを入力し（Ｓ５０１）、前記符号化データをダウンミックス符号化信号と拡張情報符号化信号とに分離する（Ｓ５０２）。分離する際には、符号化データに含まれるダウンミックス符号化信号の符号化長と、拡張情報符号化信号の符号化長を検出して、それら二つの信号の切れ目を識別する。このようにして分離部２０１は動作する。ダウンミックス符号化信号の符号化長は、非特許文献ＩＳＯ／ＩＥＣ−１３８１８−３のＭＰＥＧ−ＡＡＣ方式に準じる。また、拡張情報符号化信号の符号化長は、非特許文献ＩＳＯ／ＩＥＣ−２３００３−３に記載のＴａｂｌｅ５に記述されているｂｓＦｒａｍｅＬｅｎｇｔｈに準じる。
【００２６】
拡張情報判定部２０２は、拡張情報符号化信号が正常であるか否かを判断する。拡張情報符号化信号の符号化長とダウンミックス信号を符号化した符号化データの符号化長の合計の値があらかじめ分かっており、受信した符号化長と、前記合計数が異なっている場合などに、拡張情報符号化信号が正常に受信できなかったと判断する。拡張情報符号化信号が正常であればステップ５０４へ、拡張情報符号化信号が正常でなければステップ５０５へ進む（Ｓ５０３）。
【００２７】
復号部２０４は、拡張情報符号信号が正常であれば、ダウンミックス符号信号と拡張情報符号信号とからマルチチャンネル信号を生成し（Ｓ５０４）、拡張情報符号信号が正常でなければ、ダウンミックス信号からＥｎｈａｎｃｅｄ  Ｍａｔｒｉｘ  Ｍｏｄｅを用いてマルチチャンネル信号を生成し（Ｓ５０５）、復号化されて生成されたマルチチャンネル信号を出力する（Ｓ５０６）。
【００２８】
このように構成されたマルチチャンネル復号装置は、拡張情報符号化信号が何らかの理由により正しく復号できない場合に、ダウンミックス符号化信号からマルチチャンネル信号を生成するよう復号化モードを切り替えることで、常にマルチチャンネル信号を出力することができる。これにより、チャンネル数が変動することによる聴覚の違和感を解消することができる。
【００２９】
（実施の形態２）
実施の形態２では、復号化モードを切り替えた後に拡張情報符号化信号が正常であれば単純に通常モードに切り替えるのではなく、より聴覚の違和感をなくすような通常モードの切り替え方をするマルチチャンネル復号装置について図６を用いて説明する。なお、実施の形態１と同じ構成要素のものには同じ符号を付し、その説明を省略する。
【００３０】
実施の形態１の拡張情報判定部２０２は、拡張情報符号化信号が正常でないと判断されたときにＥｎｈａｎｃｅｄ  Ｍａｔｒｉｘ  Ｍｏｄｅで復号を行なうよう切替部２０３に通知していたが、本実施の形態２の拡張情報判定部６０１では、一旦Ｅｎｈａｎｃｅｄ  Ｍａｔｒｉｘ  Ｍｏｄｅになった場合、拡張情報信号が正常になったとき、かつフレーム長が１０２４サンプルになったときに、通常モードに切り替えるよう切替部２０３に通知する。
【００３１】
フレーム長判定部６０２は、符号化データの中からフレーム長を検出し、フレーム長が１０２４サンプルであるか否かを判定する。本願の場合ではフレーム長は、２５６サンプルと１０２４サンプルを想定しているが、それぞれのサンプル数が増減した場合であっても適用できる。その場合にはサンプル数の多い方を判定するようにすればよい。
【００３２】
実施の形態２の復号モードの切り替えについて図７を用いて説明する。なお、図５と同様の処理をするステップについては同じ符号を付し、その説明を省略する。
【００３３】
拡張情報判定部６０１は、現在通常モードで符号化データを復号しているか否かを判断する（Ｓ７０１）。判断方法としては、以前に拡張情報符号化信号が正常でないと判断されたことを記憶するフラグをたてることなどが考えられる。現在通常モードで復号中であると判断されればステップ５０３へ進み、以降の処理を行う。通常モードでないと判断されればステップ７０２に進む。
【００３４】
拡張情報判定部６０１は、現在Ｅｎｈａｎｃｅｄ  Ｍａｔｒｉｘ  Ｍｏｄｅで復号していると判定した場合に、拡張情報符号化信号が正常であると判定される時、また、フレーム長判定部６０２により１０２４サンプルであると判定される時に、符号化モードを通常モードで復号するよう切替部２０３に通知する（Ｓ７０２）。
【００３５】
このように、拡張情報判定部６０１は、一旦Ｅｎｈａｎｃｅｄ  Ｍａｔｒｉｘ  Ｍｏｄｅで復号化をしているときに、次回フレーム長情報が１０２４サンプルになるまでＥｎｈａｎｃｅｄ  Ｍａｔｒｉｘ  Ｍｏｄｅを維持して復号化し続けるよう制御する。途中で受信状態が改善しても次にフレーム長が１０２４サンプルになるまではＥｎｈａｎｃｅｄ  Ｍａｔｒｉｘ  Ｍｏｄｅによる復号化を維持する。つまり、受信不良が改善して通常モードで復号化が可能になっている場合でも、フレーム長が２５６サンプルの間はＥｎｈａｎｃｅｄ  Ｍａｔｒｉｘ  Ｍｏｄｅによる復号化を続けるということである。
【００３６】
Ｅｎｈａｎｃｅｄ  Ｍａｔｒｉｘ  Ｍｏｄｅと通常モードは当然ながらマルチチャンネル信号の再現性は異なるわけで、Ｅｎｈａｎｃｅｄ  Ｍａｔｒｉｘ  Ｍｏｄｅの方が劣る。つまり、Ｅｎｈａｎｃｅｄ  Ｍａｔｒｉｘ  Ｍｏｄｅと通常モードが頻繁に切り替わるよりも、一旦Ｅｎｈａｎｃｅｄ  Ｍａｔｒｉｘ  Ｍｏｄｅに切り替わってしばらくその状態を続けた方が視聴者は違和感を感じることが少なく視聴できるのである。復帰する際には、できるだけマルチチャンネル信号の状態変化の少ないところで復帰すると良く、それは言い換えるとフレーム長が１０２４になるところである。
【００３７】
（実施の形態３）
実施の形態３では、拡張情報符号化信号が正常でないと複数連続で判定された場合にＥｎｈａｎｃｅｄ  Ｍａｔｒｉｘ  Ｍｏｄｅに切り替えるマルチチャンネル復号装置について図８を用いて説明する。なお、実施の形態１と同じ構成要素のものには同じ符号を付し、その説明を省略する。
【００３８】
実施の形態１の拡張情報判定部２０２は、拡張情報符号化信号が正常でないと判断されたときにＥｎｈａｎｃｅｄ  Ｍａｔｒｉｘ  Ｍｏｄｅで復号を行なうよう切替部２０３に通知していたが、本実施の形態３の拡張情報判定部８０１では、一旦Ｅｎｈａｎｃｅｄ  Ｍａｔｒｉｘ  Ｍｏｄｅになった場合、拡張情報信号が正常になったとき、かつ、拡張情報判定部８０１に備わったフレームカウンターの値があらかじめ決められた閾値を超えた場合に通常モードに切り替えるよう切替部２０３に通知する。閾値の一例としてたとえば１フレームであるが、その閾値が増減した場合であっても適用できる。閾値は、固定的な値を想定しているが、たとえば、符号化データの受信状況を判断して可変的に変動することも想定している。たとえば、マルチチャンネル復号化器にてＧＰＳ情報を利用して自局の位置を検出し、別途用意した受信エリアマップと照合して、良い受信状況が続くと判断されれば、前記閾値を固定化する。逆に受信状況が悪い、あるいは非常に劇的に変動すると判断された場合には、前記閾値を可変化させる。受信状況が良いと判断する場合は、たとえばこれから１分先に移動すると予想される移動先と現在位置を直線的に結び、その間に受信不良エリアが１つもない場合には受信状態が良いと判断し、逆に受信不良エリアが１つ以上ある場合には受信状態が悪いと判断する。
【００３９】
実施の形態３の復号モードの切り替えについて図９を用いて説明する。なお、図５と同様の処理をするステップについては同じ符号を付し、その説明を省略する。
【００４０】
拡張情報符号化信号が正常であるかを判断するステップＳ５０３で正常でないと判断されるとステップＳ９０１へと進む。Ｓ９０１では、フレームカウンターを１だけカウントアップさせる。なお、カウンターの初期値として０が設定されている。カウントアップの結果、１を超えるまでステップＳ５０５にすすみＥｎｈａｎｃｅｄ  Ｍａｔｒｉｘ  Ｍｏｄｅによる復号化処理を実施する。
【００４１】
このように、拡張情報判定部８０１は、一旦Ｅｎｈａｎｃｅｄ  Ｍａｔｒｉｘ  Ｍｏｄｅで復号化をしているときに、Ｅｎｈａｎｃｅｄ  Ｍａｔｉｒｘ  Ｍｏｄｅによる復号化が１フレームより多く続くまではＥｎｈａｎｃｅｄ  Ｍａｔｒｉｘ  Ｍｏｄｅによる復号化を維持する。
【００４２】
Ｅｎｈａｎｃｅｄ  Ｍａｔｒｉｘ  Ｍｏｄｅと通常モードは当然ながらマルチチャンネル信号の再現性は異なるわけで、Ｅｎｈａｎｃｅｄ  Ｍａｔｒｉｘ  Ｍｏｄｅの方が劣る。つまり、Ｅｎｈａｎｃｅｄ  Ｍａｔｒｉｘ  Ｍｏｄｅと通常モードが頻繁に切り替わるよりも、一旦Ｅｎｈａｎｃｅｄ  Ｍａｔｒｉｘ  Ｍｏｄｅに切り替わってしばらくその状態を続けた方が視聴者は違和感を感じることが少なく視聴できるのである。
【００４３】
ここまで述べてきた実施の形態は、非特許文献ＩＳＯ／ＩＥＣ２３００３−１記載のＭＰＥＧサラウンドに関するものであり、ダウンミックス信号の符号化方式はＡＡＣ方式である。しかしながら、本願のような制御方法はそれに限った物ではなく、たとえばｍｐ３サラウンド方式でも同様の制御をすることで、同じように受信不良時の違和感低減を図ることが可能である。とくに、受信不良時の再生チャンネル変動に起因する違和感の低減に効果的である。
【００４４】
なお、実施の形態２で述べたサンプル数の条件と実施の形態３で述べたＥｎｈａｎｃｅｄ  Ｍａｔｒｉｘ  Ｍｏｄｅで復号化するフレームのカウント数の条件を組み合わせて、それぞれの条件を満たす時に、Ｅｎｈａｎｃｅｄ  Ｍａｔｒｉｘ  Ｍｏｄｅから通常モードに切り替えるとしてよい。かかる構成をとることで、より視聴者に違和感なくモードの切替を行なうことができる。
【００４５】
また、本実施の形態では、発明を簡潔に説明するため、切替部を設けて通常モードとＭａｔｒｉｘモードとの切替を説明したが、特に切替部を設ける必要はなく、拡張情報符号化信号を正しく復号できない場合には、図３のプレマトリックス部とホストマトリックス部で所定の値を用いることでマルチチャンネル信号に復号することができる。
【産業上の利用可能性】
【００４６】
本発明は、マルチチャンネル符号化技術が用いられる車載用オーディオ装置やホームシアター装置、あるいは携帯電話に代表されるような移動体通信環境において、受信不良が発生した際に有用である。
【図面の簡単な説明】
【００４７】
【図１】移動体通信を示す図
【図２】本発明の実施の形態１におけるマルチチャンネル復号化装置を示す図
【図３】ＭＰＥＧサラウンド方式の通常モードで復号を行なう場合の構成図
【図４】符号化データの構造を示す図
【図５】本発明の実施の形態１におけるマルチチャンネル復号化装置のデータのフローを示す図
【図６】本発明の実施の形態２におけるマルチチャンネル復号化装置を示す図
【図７】本発明の実施の形態２におけるマルチチャンネル復号化装置のデータのフローを示す図
【図８】本発明の実施の形態３におけるマルチチャンネル復号化装置を示す図
【図９】本発明の実施の形態３におけるマルチチャンネル復号化装置のデータのフローを示す図
【符号の説明】
【００４８】
２０１    分離部
２０２    拡張情報判定部
２０３    切替部
２０４    復号部
２０５    マトリックスモード復号部
２０６    通常モード復号部
３００    ダウンミックス復号化部
３０１    分析フィルタバンク部
３０２    プレマトリックス部
３０３    無相間処理部
３０４    ポストマトリックス部
３０５    時間的処理部
４０１    ダウンミックス復号化信号
４０２    拡張情報符号化信号
４０３    フレーム長
６０１    拡張情報判定部
６０２    フレーム長判定部
８０１    拡張情報判定部
８０２    カウンター
【図１】
2008286904.tif 000003
【図２】
2008286904.tif 000004
【図３】
2008286904.tif 000005
【図４】
2008286904.tif 000006
【図５】
2008286904.tif 000007
【図６】
2008286904.tif 000008
【図７】
2008286904.tif 000009
【図８】
2008286904.tif 000010
【図９】
2008286904.tif 000011